(57)【要約】      （修正有）【課題】薄い照明装置を有する家具を提供する。【解決手段】アクリル樹脂板の側面にＬＥＤ１１を配置し、そのアクリル樹脂板のＬＥＤ光の入射面にスリット１２ｃやマット面を施すことにより、ＬＥＤ入射面に対して直角に位置するアクリル樹脂板の端面を光らせることができる。これにより、薄いスペースでの照明が可能になる。【選択図】図１
2011100705.tif 000002
【特許請求の範囲】
【請求項１】
光透過板体と、前記光透過板体の側面１に配置した発光体があり、前記発光体が配置された前記側面１において、前記発光体の近傍にスリット或いは凹凸を設け、前記発光体からの光を前記スリット或いは凹凸を通過させ、前記光透過板体の側面１以外及び側面１に対向する面以外を照明として用いる事を特徴とする家具の照明装置。
【請求項２】
請求項１に於いて、前記発光体が配置する前記光透過板体の前記側面１と直角に位置する前記光透過板体の側面２を発光させる事と特徴とする家具の照明装置。
【請求項３】
請求項２に於いて、前記光透過板体の側面２の表面にマット面或いは凹凸処理を行い、側面２の表面を発光させる事と特徴とする家具の照明装置。
【発明の詳細な説明】
【技術分野】
【０００１】  本発明は家具の照明装置、特にヘッドボードやナイトテーブルに設けられた照明装置に関する。
【背景技術】
【０００２】  例えば、特許文献１のような照明装置を有するヘッドボードはＬＥＤに対向する位置に光透過プレートを配置するヘッドボードであった。
【先行技術文献】
【特許文献】
【０００３】
【特許文献１】特開２００３−２２９０１８
【発明の概要】
【本発明が解決しようとする課題】
【０００４】  しかしながら、特許文献１記載の技術では、ＬＥＤ、光透過プレート、ＬＥＤと光透過プレートの間隔が必要となり厚いヘッドボードとなり、限られた部屋の空間を無駄にするという不具合があった。
【０００５】  本考案はこのような事情に鑑み、薄い照明装置を有する家具を提供する事を目的とする。
【課題を解決するための手段】
【０００６】  上記課題を解決するために請求項１記載の家具の照明装置は、光透過板体と、前記光透過板体の側面１に配置した発光体があり、前記発光体が配置された前記側面１において、前記発光体の近傍にスリット或いは凹凸を設け、前記発光体からの光を前記スリット或いは凹凸を通過させ、前記光透過板体の側面１以外及び側面１に対向する面以外を照明として用いる事を特徴とする。
【０００７】  請求項２記載の家具の照明装置は、請求項１に於いて、前記発光体が配置する前記光透過板体の前記側面１と直角に位置する前記光透過板体の側面２を発光させる事と特徴とする
【０００８】  請求項３記載の家具の照明装置は、請求項２に於いて、前記光透過板体の側面２の表面にマット面或いは凹凸処理を行い、側面２の表面を発光させる事と特徴とする。
【発明の効果】
【０００９】  本発明によれば、光透過板体と、光透過板体の側面１に配置した発光体があり、発光体が配置された側面１において、発光体の近傍にスリット或いは凹凸を設け、発光体からの光をスリット或いは凹凸を通過させ、光透過板体の側面１以外及び側面１に対向する面以外を照明とする事で、薄い照明装置を具備した家具を提供する事ができる。
【図面の簡単な説明】
【００１０】
【図１】本発明の概略を説明する図面である。
【図２】実施例１に係わるナイトテーブルの斜視図である。
【図３】実施例１に係わるナイトテーブルの要部断面図である。
【図４】実施例２に係るベッド及びヘッドボードの斜視図である。
【図５】実施例２に係るヘッドボードの要部断面図である。
【発明を実施するための形態】
【００１１】  以下、本発明の実施の形態について図面を参照して詳細に説明する。
【００１２】  図１は本発明の概略を説明する断面図である。図１（ａ）は光透過板体１２の側面に発光体１１を設置した場合の図面である。図１（ｂ）は光透過板体１２の側面に発光体１１を設置し、光透過板体側面１２ａの発光体１１近傍にスリット１２ｃを施した場合の図面である。図１（ｃ）は光透過板体１２の側面に発光体１１を設置し、光透過板体側面１２ａの発光体１１近傍にスリット１２ｃを施し、更に光透過板体端面１２ｄにマット面を形成させた側面場合の図面である。
【００１３】  図１（ａ）において光透過板体１２の側面に発光体１１を設置し、発光体１１に図示していない電源より電力を供給して発光体１１を発光させる。このとき、発光体１１より発光した光は光透過板体の側面１２ａでスネルの法則に従い屈折した後、光透過板体１２内を通り、光透過板体の側面１２ｂでスネルの法則に従い再度屈折して光透過板体１２から光１１ａのように通り抜けてしまう。このため、光透過板体１２の端面側にいる観測者の目１４に発光体１１からの光は届かず、光透過板体１２は照明装置としては機能しない。
【００１４】  図１（ｂ）において、発光体１１から発光した光はスリット面１２ｃでスネルの法則に従い屈折して光透過板体１２内を通る。その後、一部の光は光１１ｂのように光透過板体１２から通り抜けてしまう。また、側面１２ｂで全反射条件が成立する一部の光は側面１２ｂで全反射し、再び光透過板体１２内を通る。全反射条件の成立した光は側面１２ａ、側面１２ｂで全反射を繰返していき、光透過板体１２の端面１２ｃから光１１ｃ、光１１ｄのように射出する。これにより、光透過板体１２の端面側にいる観測者の目１４には光の一部である光１１ｄが入射して見ることができる。そのため、光透過板体１２は照明装置として機能する。
【００１５】  図１（ｃ）において、発光体１１から発光した光はスリット面１２ｃでスネルの法則に従い屈折して光透過板体１２内を通る。その後、一部の光は光１１ｂのように光透過板体１２から通り抜けてしまう。また、側面１２ｂで全反射条件が成立する一部の光は側面１２ｂで全反射し、再び光透過板体１２内を通る。全反射条件の成立した光は側面１２ａ、側面１２ｂで全反射を繰返していき、マット面を施した光透過板体端面１２ｄで光を拡散する。これにより、光透過板体１２の端面側にいる観測者の目１４には光透過板体端面１２ｄ自体が発光して見えるため、照明装置としてだけではなく、意匠性を必要とする部分への使用も可能となる。
【００１６】  ここで、１２ｃはスリット面としているが、１２ｃ面をマット面にした場合でも、発光体１１からの光が１２ｃ面のマット面で拡散されるため、同様の効果が得られる。また、発光体１１はＬＥＤやＥＬ（エレクトロルミネセンス）等を使用してもよい。
光透過板体１２はアクリル樹脂等でなる透明な板体であり、屈折率は１．４９程度である。なお、光透過板体はガラス等の素材で形成されていてもよい。
【００１７】  図２、図３において実施例１を説明する。アクリル樹脂板３は雑巾ずり２ａと雑巾ずり２ｂとに挟まれ、図示しないボルトで一体的にナイトテーブル本体１に固定されている（図２）。ＬＥＤ１１はＬＥＤ押え４に一体的に固定されている。そしてそのＬＥＤ押え４は図示しないボルトで雑巾ずり２ｂに固定されている。アクリル樹脂板３にはＬＥＤ１１近傍においてスリット３ｃを形成している（図３）。
【００１８】  図示していない電源より供給された電力により、ＬＥＤ１１が発光すると、その光はアクリル樹脂板３のスリット３ｃ部分で屈折して、アクリル樹脂板３内を進み、アクリル樹脂板３の側面３ｂ、側面３ｃで全反射条件に適合する光は全反射繰り返し、端面３ｄから射出する。これにより、ナイトテーブルの上に置かれた物が暗闇でも確認しやすくなる。
【００１９】  図４、図５においては実施例２を説明する。アクリル樹脂板５はヘッドボード６ａとヘッドボード６ｂとに挟まれ、図示しないボルトで一体的に固定されている。また前記ヘッドボードはベッド７と一体的に固定されている（図４）。ＬＥＤ１１はＬＥＤ押え８に一体的に固定されている。そしてそのＬＥＤ押え８は図示しないボルトでヘッドボード６ｂに固定されている。アクリル樹脂板５にはＬＥＤ１１近傍においてマット面５ｃを形成している。またアクリル樹脂板５の端面５ｄにはマット面を形成している（図５）。
【００２０】  図示していない電源より供給された電力により、ＬＥＤ１１が発光すると、その光はアクリル樹脂板５のマット面５ｃ部分で拡散して、アクリル樹脂板５内を進み、アクリル樹脂板５の側面５ｂ、側面５ｃで全反射条件に適合する光は全反射繰り返し、端面５ｄから射出する。その際、５ｄではマット面処理をされていることで、射出した光は拡散され、端面５ｄが発光しているように見える。これにより、ベッドの意匠性を高めることが出来る。
【産業上の利用可能性】
【００２１】  本発明は、家具の照明装置以外にも大型家電製品（例えば冷蔵庫）などに利用することができる。
【符号の説明】
【００２２】１      ナイトテーブル本体
２ａ、２ｂ  雑巾ずり
３、５  アクリル樹脂板
３ａ、３ｂ、５ａ、５ｂ  アクリル樹脂板側面
３ｃ  スリット面
３ｄ、５ｄ  アクリル樹脂板端面
４、８  ＬＥＤ押え
５ｃ    マット面
６ａ、６ｂ  ヘッドボード
７      ベッド本体
１１    ＬＥＤ
１１ａ、１１ｂ、１１ｃ、１１ｄ、１１ｅ  光
１２    光透過板体
１２ａ、１２ｂ  光透過板体側面
１２ｃ  スリット
１４    観測者の目
【図１】
2011100705.tif 000003
【図２】
2011100705.tif 000004
【図３】
2011100705.tif 000005
【図４】
2011100705.tif 000006
【図５】
2011100705.tif 000007